(57)【要約】本発明は、バックキャビネット（７）を有する筐体と、この筐体の内部に設置された液晶表示パネル（３）と、前記液晶表示パネルの背面側に配置されたバックライト装置（４）と、前記液晶表示パネルに出力する画像信号を制御する回路基板と、前記回路基板と前記液晶表示パネルとを電気的に接続しパネルの駆動を制御するパネル駆動回路基板（２２）とを備えたディスプレイ装置であって、前記バックキャビネットは、前記バックライト装置及び前記回路基板を収容可能な空間部（７ａ）を有するとともに、前記空間部を形成する内壁面に前記バックライト装置を支持するバックライト支持部を有し、かつ前記バックキャビネットの前記空間部の開口部に液晶表示パネルを配置するとともに、前記液晶表示パネルと前記パネル駆動回路基板との接続部が前記バックキャビネットの側壁から外部に露出するように構成している。
2012042797.tif 000002
【特許請求の範囲】
【請求項１】
バックキャビネットを有する筐体と、この筐体の内部に設置された平面型表示パネルと、この平面型表示パネルの背面側に配置されたバックライト装置と、前記平面型表示パネルに出力する画像信号を制御する信号処理回路基板と、この信号処理回路基板と前記平面型表示パネルとを電気的に接続しパネルの駆動を制御するパネル駆動回路基板とを備えたディスプレイ装置において、前記バックキャビネットは、前記バックライト装置および前記回路基板を収容可能な空間部を有するとともに、前記空間部を形成する内壁面に前記バックライト装置を支持するバックライト支持部を有し、かつ前記バックキャビネットの空間部の開口部に前記平面型表示パネルを配置するとともに、前記平面型表示パネルとパネル駆動回路基板との接続部がバックキャビネットの側壁から外部に露出するように構成したディスプレイ装置。
【請求項２】
前記平面型表示パネルとパネル駆動回路基板との接続部および前記信号処理回路基板とパネル駆動回路基板との接続部分がバックキャビネットの側壁から外部に露出するように構成した請求項１に記載のディスプレイ装置。
【発明の詳細な説明】
【技術分野】
【０００１】
本発明は、テレビジョン受像機やモニター装置に使用される液晶表示装置等の平面型のディスプレイ装置に関するものである。
【背景技術】
【０００２】
液晶表示装置は、平面型のディスプレイ装置として、一般家庭は勿論のこと、業務用として、需要が拡大している。【０００３】
一般的に液晶表示装置は、面光源としてのバックライト装置を平面型の液晶表示パネルの背面側に配置して構成された表示モジュールを、フロントキャビネットとバックキャビネットからなる薄型の筐体の内部に収容することにより構成されている（特許文献１参照）。【０００４】
ところで、このような液晶表示装置は、パネルメーカーと完成品メーカーによって、次のようにして完成される。【０００５】
パネルメーカーは、液晶表示パネルを製造して、テレビメーカーなどの完成品メーカーに納入する。【０００６】
完成品メーカーは、面光源としてのバックライト装置と液晶表示パネルとを組み合わせて表示モジュールを作製する。また、その表示モジュールを液晶表示パネルの駆動回路基板とともに、フロントキャビネットとバックキャビネットからなる薄型の筐体の内部に収容する。【０００７】
このようにして、液晶表示装置が完成される。【０００８】
なお、完成品メーカーでは、液晶表示装置を販売する地域、またはその地域に近い地域に、製品を組み立てる工場を建設し、販売する地域に対応するデザイン、機能を備えた完成品の組立てを行い、販売するようにしている。【０００９】
全世界に液晶表示装置の需要が拡大するに伴い、完成品として組み立てる際の組立て工数の削減および組み立て易さが求められるとともに、組立てを行う工場に表示モジュールなどを輸送する場合の梱包方法の簡素化が求められている。
【先行技術文献】
【特許文献】
【００１０】
【特許文献１】特開２００９−１３９４２６号公報
【発明の概要】
【００１１】
本発明は、バックキャビネットを有する筐体と、この筐体の内部に設置された平面型表示パネルと、この平面型表示パネルの背面側に配置されたバックライト装置と、平面型表示パネルに画像を表示するための駆動回路を構成する回路基板と、この回路基板と平面型表示パネルとを電気的に接続する配線部材とを備えたディスプレイ装置において、バックキャビネットは、バックライト装置および回路基板を収容可能な空間部を有するとともに、空間部を形成する内壁面にバックライト装置を支持するバックライト支持部を有し、かつバックキャビネットの空間部の開口部に平面型表示パネルを配置するとともに、平面型表示パネルと配線部材との接続部がバックキャビネットの側壁から外部に露出するように構成している。
【図面の簡単な説明】
【００１２】
【図１】図１は、本発明の一実施の形態によるディスプレイ装置としての液晶表示装置の正面図である。
【図２】図２は、スタンドを取り外した状態を示す同液晶表示装置の斜視図である。
【図３】図３は、同液晶表示装置の全体構成の回路ブロックを示すブロック図である。
【図４】図４は、バックキャビネットを取り除いた同液晶表示装置の平面図である。
【図５】図５は、図２における同液晶表示装置の５−５断面図である。
【図６】図６は、図５における同液晶表示装置のＢ部の拡大図である。
【図７】図７は、同液晶表示装置の分解斜視図である。
【図８】図８は、同液晶表示装置の内壁面側のバックキャビネットの斜視図である。
【図９】図９は、同液晶表示装置の表示モジュールの分解斜視図である。
【図１０】図１０は、同液晶表示装置の要部の拡大斜視図である。
【発明を実施するための形態】
【００１３】
以下、本発明の一実施の形態によるディスプレイ装置について、液晶表示装置を例にとって図面を参照しながら説明する。
【００１４】
図１は本発明の一実施の形態によるディスプレイ装置としての液晶表示装置を示す正面図、図２はスタンドを取り外した状態を示す同液晶表示装置の斜視図、図３は同液晶表示装置の全体構成の回路ブロックを示すブロック図、図４はバックキャビネットを取り除いた同液晶表示装置の平面図、図５は図２における同液晶表示装置の５−５断面図、図６は図５における同液晶表示装置のＢ部の拡大図、図７は、同液晶表示装置の分解斜視図である。
【００１５】
まず、図１、図２に示すように、液晶表示装置は、表示装置本体１と、この表示装置本体１を立てた状態で保持するスタンド２とを有している。表示装置本体１は、平面型表示パネルである液晶表示パネル３とバックライト装置４（図５に図示）とを有する表示モジュールを樹脂成型品などからなる筐体５内に収容することにより構成されている。また、筐体５は、液晶表示パネル３の画像表示領域に対応するように開口部６ａを設けたフロントキャビネット６と、このフロントキャビネット６と組み合わせられるバックキャビネット７とを有する。なお、６ｂはスピーカの音を外部に放出するためのスピーカグリルである。
【００１６】
また、図３、図４に示すように、液晶表示装置全体の概略構成は、液晶表示パネル３に画像を表示する駆動回路とバックライト装置４の点灯を制御する点灯制御回路とを備えた信号処理回路ブロック８と、液晶表示パネル３、バックライト装置４および信号処理回路ブロック８に電源電圧を供給するための電源ブロック９と、テレビジョン放送を受信して信号処理回路ブロック８に受信信号を供給するチューナ１０と、音を出力するためのスピーカ１１とを有する。信号処理回路ブロック８および電源ブロック９は、それぞれ回路基板に回路を構成する部品を搭載することにより構成されている。そして、信号処理回路ブロック８、電源ブロック９、チューナ１０などを搭載した回路基板は、バックライト装置４の背面とバックキャビネット７との間の空間に配置されるように取り付けられている。
【００１７】
また、図４に示すように、信号処理回路ブロック８は、ＤＶＤプレーヤーなどの外部機器からの映像信号を液晶表示装置に入力するための外部信号入力端子１２を搭載している。なお、図３においては、スピーカを省略して示している。
【００１８】
ここで、図５〜図７に示すように、バックキャビネット７は、液晶表示パネル３とバックライト装置４を有する表示モジュールと、回路基板を収容可能な空間部７ａとを有する。さらに、空間部７ａを形成する内底面には、バックライト装置４を支持するバックライト支持部７ｂ、７ｃが設けられている。このバックライト支持部７ｂ、７ｃのうち、バックライト支持部７ｂには、バックライト装置４のフレーム４ａがビス１３により取り付けられている。
【００１９】
また、バックキャビネット７の内底面の周縁部には、液晶表示パネル３の外周縁部を支持する樹脂成型品であって、パネル支持部材１４を保持するためのパネル支持部７ｄが設けられている。また、パネル支持部材１４により液晶表示パネル３の外周縁部が支持されている。さらに、断面形状が略Ｌ字形状の金属製のフレーム１５により液晶表示パネル３の外周縁部がパネル支持部材１４に押し付けられている。この押し付けによって、液晶表示パネル３がバックキャビネット７の空間部７ａの開口部周縁部に収容配置されている。なお、３ａは液晶表示パネル３の表示面に貼り付けられている偏光フィルムである。
【００２０】
ここで、バックキャビネット７の空間部７ａの開口部に配置された液晶表示パネル３は、バックライト装置４の背面側に配置した信号処理回路ブロック８に相当する回路基板に、バックライト装置４の外周に沿うように配置される配線部材に相当するフレキシブル配線板を介して電気的に接続されている。この詳細構造については、後述する。
【００２１】
さらに、図６に示すように、バックキャビネット７は、その外周先端部７ｅをフロントキャビネット６の内周壁面に設けた嵌め合せ片６ｃに嵌め合せている。そして、フロントキャビネット６をバックキャビネット７に、フロントキャビネット６側からビスで取り付けることにより、表示モジュールや駆動回路を搭載した回路基板を筐体に収容している。図８は同液晶表示装置の内壁面側のバックキャビネットの斜視図であり、バックキャビネット７の外周部に設けたボス部７ｆにフロントキャビネット６がビスにて取り付けられる。
【００２２】
図９は同液晶表示装置の表示モジュールの分解斜視図である。図９に示すように、バックライト装置４は、液晶表示パネル３を背面側から照明するものである。このバックライト装置４は、フレーム４ａ内に液晶表示パネル３と平行となるように配列された複数本の線状光源１６と、フレーム４ａに蓋をするように配置された拡散板１７とを備えている。
【００２３】
拡散板１７上には、拡散板１７を透過した光を拡散または集光するプリズムシートなどの光学シート１８が積層されている。
【００２４】
フレーム４ａの内底面には、線状光源１６から発せられる光を拡散板１７側に反射する金属箔などからなる反射シート１９が略全面的に覆うように配設されている。また、線状光源１６の延在方向に離間して、線状光源１６を保持するための一対の支持部材２０が配置されている。ここで、線状光源１６としては、直管状の冷陰極蛍光ランプ（ＣＣＦＬ）が用いられており、これらが互いに平行に配列されている。そして、線状光源１６の両端部が支持部材２０で覆われている。また、フレーム４ａは、鉄やアルミニウム等の金属または樹脂で構成される。このフレーム４ａは、一方向に開口する箱形状をしており、線状光源１６の配列面と平行な底面を構成する底壁と、この底壁の周縁部から立ち上がる側壁とを有する。さらに、フレーム４ａの内底面には、拡散板１７を支持する拡散板支持部材２１が複数個配置されている。
【００２５】
拡散板１７は、線状光源１６と液晶表示パネル３との間に配設されている。この拡散板１７は、線状光源１６側の入射面から入射した光を拡散して液晶表示パネル３側の出射面から出射するものであり、ポリスチレンやポリカーボネートなどの透明な樹脂を射出成形して形成されている。
【００２６】
具体的には、図９のように、線状光源１６を挟んで反射シート１９と反対側に拡散板１７が配設されている。この拡散板１７は、線状光源１６からの直射光および反射シート１９からの反射光を内部に入射させる入射面と、内部で拡散した光を出射させる出射面とを有している。
【００２７】
上述した光学シート１８は出射面上に積層配置されている。
【００２８】
図１０は同液晶表示装置の要部の拡大斜視図である。図１０に示すように、本実施の形態においては、液晶表示パネル３と、バックライト装置４の背面側に配置した信号処理回路ブロック８の回路基板とを電気的に接続するためのパネル駆動回路基板２２について、パネル駆動回路基板２２と液晶表示パネル３はフレキシブル配線板２４で電気的に接続されている。また、フレキシブル配線板２４とパネル駆動回路基板２２との接続部２３がバックキャビネット７の側壁７ｇから外部に露出するように、接続部２３に対応するバックキャビネット７の側壁に切り欠きを設けている。
【００２９】
このような構成とすることにより、組立て時、液晶表示パネル３とパネル駆動回路基板２２との接続を容易に行うことができる。
【００３０】
なお、図１０に示す例においては、液晶表示パネル３とパネル駆動回路基板２２との接続部２３のみがバックキャビネット７の側壁７ｇから外部に露出するように構成したが、信号処理回路ブロック８の回路基板とパネル駆動回路基板２２との接続部分もバックキャビネット７の側壁７ｇから外部に露出するように構成してもよい。
【００３１】
このように本実施の形態においては、バックキャビネット７を有する筐体と、この筐体の内部に収容される液晶表示パネル３およびバックライト装置４と、液晶表示パネル３に画像を表示するための駆動回路を構成する回路基板とを備えた液晶表示装置において、バックキャビネット７は、バックライト装置４および回路基板を収容可能な空間部７ａを有するとともに、空間部７ａを形成する内壁面に、バックライト装置４を支持するバックライト支持部７ｂ、７ｃを設け、かつバックキャビネット７の空間部７ａの開口部に液晶表示パネル３を配置するとともに、液晶表示パネル３とパネル駆動回路基板２２との接続部２３がバックキャビネット７の側壁７ｇから外部に露出するように構成したものである。
【００３２】
これにより、バックキャビネット７を基準にして、バックキャビネット７内にバックライト装置４、液晶表示パネル３を順次組み込むことにより、完成品の組立てを行うことができる。このため、バックライト装置４と液晶表示パネル３とからなる表示モジュールを組立てるとともに、液晶表示パネル３やバックライト装置の駆動回路を搭載した回路基板を取付け、その後筐体内に収容する場合に比べ、組み立て易くなる。
【００３３】
しかも、液晶表示パネル３とパネル駆動回路基板２２との接続部２３がバックキャビネット７の側壁７ｇから外部に露出するように構成しているため、組立て時、液晶表示パネル３とフレキシブル配線板２２との接続も容易に行うことができる。
【産業上の利用可能性】
【００３４】
以上のように本発明は、液晶ディスプレイ等の各種のディスプレイ装置に適用できる。
【符号の説明】
【００３５】
１    表示装置本体
３    液晶表示パネル
４    バックライト装置
５    筐体
６    フロントキャビネット
７    バックキャビネット
７ａ    空間部
７ｂ，７ｃ    バックライト支持部
７ｄ    パネル支持部
１４    パネル支持部材
１５    フレーム
２２    パネル駆動回路基板
【図１】
2012042797.tif 000003
【図２】
2012042797.tif 000004
【図３】
2012042797.tif 000005
【図４】
2012042797.tif 000006
【図５】
2012042797.tif 000007
【図６】
2012042797.tif 000008
【図７】
2012042797.tif 000009
【図８】
2012042797.tif 000010
【図９】
2012042797.tif 000011
【図１０】
2012042797.tif 000012
【手続補正書】
【提出日】平成24年11月6日(2012.11.6)
【手続補正１】
【補正対象書類名】明細書
【補正対象項目名】全文
【補正方法】変更
【補正の内容】
【発明の詳細な説明】
【技術分野】
【０００１】
本発明は、テレビジョン受像機やモニター装置に使用される液晶表示装置等の平面型のディスプレイ装置に関するものである。
【背景技術】
【０００２】
液晶表示装置は、平面型のディスプレイ装置として、一般家庭は勿論のこと業務用として、需要が拡大している。
【０００３】
一般的に液晶表示装置は、面光源としてのバックライト装置を平面型の液晶表示パネルの背面側に配置して構成された表示モジュールを、フロントキャビネットとバックキャビネットからなる薄型の筐体の内部に収容することにより構成されている（特許文献１参照）。
【０００４】
ところで、このような液晶表示装置は、パネルメーカーと完成品メーカーによって、次のようにして完成される。
【０００５】
パネルメーカーは、液晶表示パネルを製造して、テレビメーカーなどの完成品メーカーに納入する。
【０００６】
完成品メーカーは、面光源としてのバックライト装置と液晶表示パネルとを組み合わせて表示モジュールを作製する。また、その表示モジュールを液晶表示パネルの駆動回路基板とともに、フロントキャビネットとバックキャビネットからなる薄型の筐体の内部に収容する。
【０００７】
このようにして、液晶表示装置が完成される。
【０００８】
なお、完成品メーカーでは、液晶表示装置を販売する地域、またはその地域に近い地域に、製品を組み立てる工場を建設し、販売する地域に対応するデザイン、機能を備えた完成品の組立てを行い、販売するようにしている。
【０００９】
全世界に液晶表示装置の需要が拡大するに伴い、完成品として組み立てる際の組立て工数の削減および組み立て易さが求められるとともに、組立てを行う工場に表示モジュールなどを輸送する場合の梱包方法の簡素化が求められている。
【先行技術文献】
【特許文献】
【００１０】
【特許文献１】特開２００９−１３９４２６号公報
【発明の概要】
【００１１】
本発明は、バックキャビネットを有する筐体と、この筐体の内部に設置された平面型表示パネルと、この平面型表示パネルの背面側に配置されたバックライト装置と、平面型表示パネルに画像を表示するための駆動回路を構成する回路基板と、この回路基板と平面型表示パネルとを電気的に接続する配線部材とを備えたディスプレイ装置において、バックキャビネットは、バックライト装置および回路基板を収容可能な空間部を有するとともに、空間部を形成する内壁面にバックライト装置を支持するバックライト支持部を有し、かつバックキャビネットの空間部の開口部に平面型表示パネルを配置するとともに、平面型表示パネルと配線部材との接続部がバックキャビネットの側壁から外部に露出するように構成している。
【図面の簡単な説明】
【００１２】
【図１】図１は、本発明の一実施の形態によるディスプレイ装置としての液晶表示装置の正面図である。
【図２】図２は、スタンドを取り外した状態を示す同液晶表示装置の斜視図である。
【図３】図３は、同液晶表示装置の全体構成の回路ブロックを示すブロック図である。
【図４】図４は、バックキャビネットを取り除いた同液晶表示装置の平面図である。
【図５】図５は、図２における同液晶表示装置の５−５断面図である。
【図６】図６は、図５における同液晶表示装置のＢ部の拡大図である。
【図７】図７は、同液晶表示装置の分解斜視図である。
【図８】図８は、同液晶表示装置の内壁面側のバックキャビネットの斜視図である。
【図９】図９は、同液晶表示装置の表示モジュールの分解斜視図である。
【図１０】図１０は、同液晶表示装置の要部の拡大斜視図である。
【発明を実施するための形態】
【００１３】
以下、本発明の一実施の形態によるディスプレイ装置について、液晶表示装置を例にとって図面を参照しながら説明する。
【００１４】
図１は本発明の一実施の形態によるディスプレイ装置としての液晶表示装置を示す正面図、図２はスタンドを取り外した状態を示す同液晶表示装置の斜視図、図３は同液晶表示装置の全体構成の回路ブロックを示すブロック図、図４はバックキャビネットを取り除いた同液晶表示装置の平面図、図５は図２における同液晶表示装置の５−５断面図、図６は図５における同液晶表示装置のＢ部の拡大図、図７は、同液晶表示装置の分解斜視図である。
【００１５】
まず、図１、図２に示すように、液晶表示装置は、表示装置本体１と、この表示装置本体１を立てた状態で保持するスタンド２とを有している。表示装置本体１は、平面型表示パネルである液晶表示パネル３とバックライト装置４（図５に図示）とを有する表示モジュールを樹脂成型品などからなる筐体５内に収容することにより構成されている。また、筐体５は、液晶表示パネル３の画像表示領域に対応するように開口部６ａを設けたフロントキャビネット６と、このフロントキャビネット６と組み合わせられるバックキャビネット７とを有する。なお、６ｂはスピーカの音を外部に放出するためのスピーカグリルである。
【００１６】
また、図３、図４に示すように、液晶表示装置全体の概略構成は、液晶表示パネル３に画像を表示する駆動回路とバックライト装置４の点灯を制御する点灯制御回路とを備えた信号処理回路ブロック８と、液晶表示パネル３、バックライト装置４および信号処理回路ブロック８に電源電圧を供給するための電源ブロック９と、テレビジョン放送を受信して信号処理回路ブロック８に受信信号を供給するチューナ１０と、音を出力するためのスピーカ１１とを有する。信号処理回路ブロック８および電源ブロック９は、それぞれ回路基板に回路を構成する部品を搭載することにより構成されている。そして、信号処理回路ブロック８、電源ブロック９、チューナ１０などを搭載した回路基板は、バックライト装置４の背面とバックキャビネット７との間の空間に配置されるように取り付けられている。
【００１７】
また、図４に示すように、信号処理回路ブロック８は、ＤＶＤプレーヤーなどの外部機器からの映像信号を液晶表示装置に入力するための外部信号入力端子１２を搭載している。なお、図３においては、スピーカを省略して示している。
【００１８】
ここで、図５〜図７に示すように、バックキャビネット７は、液晶表示パネル３とバックライト装置４を有する表示モジュールと、回路基板を収容可能な空間部７ａとを有する。さらに、空間部７ａを形成する内底面には、バックライト装置４を支持するバックライト支持部７ｂ、７ｃが設けられている。このバックライト支持部７ｂ、７ｃのうち、バックライト支持部７ｂには、バックライト装置４のフレーム４ａがビス１３により取り付けられている。
【００１９】
また、バックキャビネット７の内底面の周縁部には、液晶表示パネル３の外周縁部を支持する樹脂成型品であって、パネル支持部材１４を保持するためのパネル支持部７ｄが設けられている。また、パネル支持部材１４により液晶表示パネル３の外周縁部が支持されている。さらに、断面形状が略Ｌ字形状の金属製のフレーム１５により液晶表示パネル３の外周縁部がパネル支持部材１４に押し付けられている。この押し付けによって、液晶表示パネル３がバックキャビネット７の空間部７ａの開口部周縁部に収容配置されている。なお、３ａは液晶表示パネル３の表示面に貼り付けられている偏光フィルムである。
【００２０】
ここで、バックキャビネット７の空間部７ａの開口部に配置された液晶表示パネル３は、バックライト装置４の背面側に配置した信号処理回路ブロック８に相当する回路基板に、バックライト装置４の外周に沿うように配置される配線部材に相当するフレキシブル配線板を介して電気的に接続されている。この詳細構造については、後述する。
【００２１】
さらに、図６に示すように、バックキャビネット７は、その外周先端部７ｅをフロントキャビネット６の内周壁面に設けた嵌め合せ片６ｃに嵌め合せている。そして、フロントキャビネット６をバックキャビネット７に、フロントキャビネット６側からビスで取り付けることにより、表示モジュールや駆動回路を搭載した回路基板を筐体に収容している。図８は同液晶表示装置の内壁面側のバックキャビネットの斜視図であり、バックキャビネット７の外周部に設けたボス部７ｆにフロントキャビネット６がビスにて取り付けられる。
【００２２】
図９は同液晶表示装置の表示モジュールの分解斜視図である。図９に示すように、バックライト装置４は、液晶表示パネル３を背面側から照明するものである。このバックライト装置４は、フレーム４ａ内に液晶表示パネル３と平行となるように配列された複数本の線状光源１６と、フレーム４ａに蓋をするように配置された拡散板１７とを備えている。
【００２３】
拡散板１７上には、拡散板１７を透過した光を拡散または集光するプリズムシートなどの光学シート１８が積層されている。
【００２４】
フレーム４ａの内底面には、線状光源１６から発せられる光を拡散板１７側に反射する金属箔などからなる反射シート１９が略全面的に覆うように配設されている。また、線状光源１６の延在方向に離間して、線状光源１６を保持するための一対の支持部材２０が配置されている。ここで、線状光源１６としては、直管状の冷陰極蛍光ランプ（ＣＣＦＬ）が用いられており、これらが互いに平行に配列されている。そして、線状光源１６の両端部が支持部材２０で覆われている。また、フレーム４ａは、鉄やアルミニウム等の金属または樹脂で構成される。このフレーム４ａは、一方向に開口する箱形状をしており、線状光源１６の配列面と平行な底面を構成する底壁と、この底壁の周縁部から立ち上がる側壁とを有する。さらに、フレーム４ａの内底面には、拡散板１７を支持する拡散板支持部材２１が複数個配置されている。
【００２５】
拡散板１７は、線状光源１６と液晶表示パネル３との間に配設されている。この拡散板１７は、線状光源１６側の入射面から入射した光を拡散して液晶表示パネル３側の出射面から出射するものであり、ポリスチレンやポリカーボネートなどの透明な樹脂を射出成形して形成されている。
【００２６】
具体的には、図９のように、線状光源１６を挟んで反射シート１９と反対側に拡散板１７が配設されている。この拡散板１７は、線状光源１６からの直射光および反射シート１９からの反射光を内部に入射させる入射面と、内部で拡散した光を出射させる出射面とを有している。
【００２７】
上述した光学シート１８は出射面上に積層配置されている。
【００２８】
図１０は同液晶表示装置の要部の拡大斜視図である。図１０に示すように、本実施の形態においては、液晶表示パネル３と、バックライト装置４の背面側に配置した信号処理回路ブロック８の回路基板とを電気的に接続するためのパネル駆動回路基板２２について、パネル駆動回路基板２２と液晶表示パネル３はフレキシブル配線板２４で電気的に接続されている。また、フレキシブル配線板２４とパネル駆動回路基板２２との接続部２３がバックキャビネット７の側壁７ｇから外部に露出するように、接続部２３に対応するバックキャビネット７の側壁に切り欠きを設けている。
【００２９】
このような構成とすることにより、組立て時、液晶表示パネル３とパネル駆動回路基板２２との接続を容易に行うことができる。
【００３０】
なお、図１０に示す例においては、液晶表示パネル３とパネル駆動回路基板２２との接続部２３のみがバックキャビネット７の側壁７ｇから外部に露出するように構成したが、信号処理回路ブロック８の回路基板とパネル駆動回路基板２２との接続部分もバックキャビネット７の側壁７ｇから外部に露出するように構成してもよい。
【００３１】
このように本実施の形態においては、バックキャビネット７を有する筐体と、この筐体の内部に収容される液晶表示パネル３およびバックライト装置４と、液晶表示パネル３に画像を表示するための駆動回路を構成する回路基板とを備えた液晶表示装置において、バックキャビネット７は、バックライト装置４および回路基板を収容可能な空間部７ａを有するとともに、空間部７ａを形成する内壁面に、バックライト装置４を支持するバックライト支持部７ｂ、７ｃを設け、かつバックキャビネット７の空間部７ａの開口部に液晶表示パネル３を配置するとともに、液晶表示パネル３とパネル駆動回路基板２２との接続部２３がバックキャビネット７の側壁７ｇから外部に露出するように構成したものである。
【００３２】
これにより、バックキャビネット７を基準にして、バックキャビネット７内にバックライト装置４、液晶表示パネル３を順次組み込むことにより、完成品の組立てを行うことができる。このため、バックライト装置４と液晶表示パネル３とからなる表示モジュールを組立てるとともに、液晶表示パネル３やバックライト装置の駆動回路を搭載した回路基板を取付け、その後筐体内に収容する場合に比べ、組み立て易くなる。
【００３３】
しかも、液晶表示パネル３とパネル駆動回路基板２２との接続部２３がバックキャビネット７の側壁７ｇから外部に露出するように構成しているため、組立て時、液晶表示パネル３とフレキシブル配線板２２との接続も容易に行うことができる。
【産業上の利用可能性】
【００３４】
以上のように本発明は、液晶ディスプレイ等の各種のディスプレイ装置に適用できる。
【符号の説明】
【００３５】
１  表示装置本体
３  液晶表示パネル
４  バックライト装置
５  筐体
６  フロントキャビネット
７  バックキャビネット
７ａ  空間部
７ｂ，７ｃ  バックライト支持部
７ｄ  パネル支持部
１４  パネル支持部材
１５  フレーム
２２  パネル駆動回路基板
【手続補正２】
【補正対象書類名】特許請求の範囲
【補正対象項目名】全文
【補正方法】変更
【補正の内容】
【特許請求の範囲】
【請求項１】
バックキャビネットを有する筐体と、この筐体の内部に設置された平面型表示パネルと、この平面型表示パネルの背面側に配置されたバックライト装置と、前記平面型表示パネルに出力する画像信号を制御する信号処理回路基板と、この信号処理回路基板と前記平面型表示パネルとを電気的に接続しパネルの駆動を制御するパネル駆動回路基板とを備えたディスプレイ装置において、
前記バックキャビネットは、前記バックライト装置および前記回路基板を収容可能な空間部を有するとともに、前記空間部を形成する内壁面に前記バックライト装置を支持するバックライト支持部を有し、かつ前記バックキャビネットの空間部の開口部に前記平面型表示パネルを配置するとともに、前記平面型表示パネルとパネル駆動回路基板との接続部がバックキャビネットの側壁から外部に露出するように構成したディスプレイ装置。
【請求項２】
前記平面型表示パネルとパネル駆動回路基板との接続部および前記信号処理回路基板とパネル駆動回路基板との接続部分がバックキャビネットの側壁から外部に露出するように構成した請求項１に記載のディスプレイ装置。
【手続補正３】
【補正対象書類名】図面
【補正対象項目名】全図
【補正方法】変更
【補正の内容】
【図１】
2012042797.tif 000013
【図２】
2012042797.tif 000014
【図３】
2012042797.tif 000015
【図４】
2012042797.tif 000016
【図５】
2012042797.tif 000017
【図６】
2012042797.tif 000018
【図７】
2012042797.tif 000019
【図８】
2012042797.tif 000020
【図９】
2012042797.tif 000021
【図１０】
2012042797.tif 000022
【国際調査報告】
2012042797.tif 000023
2012042797.tif 000024
2012042797.tif 000025
2012042797.tif 000026